(57)【要約】【課題】簡易な構成で防水性を高めた電気機器用ケース及び電力制御装置を提供する。【解決手段】電気機器３を収容する電気機器用ケース２であって、開口１０ｂを有するケース本体１０と、開口１０ｂを覆う矩形の平板状カバー部２１と、平板状カバー部２１の一辺２１ａ、２１ｂに連なりケース本体１０の外側面１２ａ、１３ａを覆う外側面カバー部２２、２３とを備えたカバー体２０と、ケース本体１０の外側面カバー部２２、２３に覆われる外側面１２ａ、１３ａに設けられ、一辺２１ａ、２１ｂに沿って延びる第１リブ４０と、を有することを特徴とする電気機器用ケース２及び電気機器用ケース２に電気機器３を収容した電力制御装置１。【選択図】図４
2020088252.tif 000002
【特許請求の範囲】
【請求項１】
電気機器を収容する電気機器用ケースであって、
開口を有するケース本体と、
前記開口を覆う矩形の平板状カバー部と、前記平板状カバー部の一辺に連なり前記ケース本体の外側面を覆う外側面カバー部とを備えたカバー体と、
前記ケース本体の前記外側面カバー部に覆われる外側面に設けられ、前記一辺に沿って延びる第１リブと、を有することを特徴とする電気機器用ケース。
【請求項２】
前記第１リブが、前記一辺と平行に延びている、請求項１に記載の電気機器用ケース。
【請求項３】
前記外側面に、複数の前記第１リブが互いに間隔を空けて並べて設けられている、請求項１または２に記載の電気機器用ケース。
【請求項４】
前記外側面に、前記第１リブと交差する方向に延びるとともに前記外側面からの突出高さが前記第１リブの前記外側面からの突出高さ以上となる第２リブが設けられている、請求項１〜３の何れか１項に記載の電気機器用ケース。
【請求項５】
前記第２リブが、前記一辺に直交し且つ前記外側面に平行な方向に延びている、請求項４に記載の電気機器用ケース。
【請求項６】
前記第２リブが、前記外側面から所定の高さで突出する第１突出部と、前記第１突出部よりも前記外側面からの突出高さが低い第２突出部とを有する、請求項４または５に記載の電気機器用ケース。
【請求項７】
前記第２リブが、前記第１突出部において前記外側面カバー部に当接している、請求項６に記載の電気機器用ケース。
【請求項８】
前記ケース本体が、
矩形の第１壁と、
前記第１壁の第１の辺に連なる第２壁と、
前記第２壁に対向するとともに前記第１壁の第２の辺に連なる第３壁と、
前記第１壁の第３の辺、前記第２壁及び前記第３壁に連なる第４壁と、
前記第４壁に対向するとともに前記第１壁の第４の辺、前記第２壁及び前記第３壁に連なる第５壁と、を有する箱型であり、
前記カバー体が、前記平板状カバー部の両側に、前記第２壁の前記外側面を覆う第１の前記外側面カバー部と、前記第３壁の前記外側面を覆う第２の前記外側面カバー部とを有する断面Ｕ字形状である、請求項１〜７の何れか１項に記載の電気機器用ケース。
【請求項９】
請求項１〜８の何れか１項に記載の電気機器用ケースと、前記電気機器用ケースに収容された電気機器とを備えることを特徴とする電力制御装置。
【発明の詳細な説明】
【技術分野】
【０００１】
本開示は、電気機器用ケース及び電力制御装置に関する。
【背景技術】
【０００２】
太陽電池に接続されて太陽電池からの直流電力を交流電力に変換する機能を備えた電気機器をケースに収容したパワーコンディショナ（電力変換装置）等の電力制御装置が、家庭用を中心に普及してきている。このような電力制御装置は屋外に設置されることが多いことから、電気機器を収容するケースには高い防水性が求められている。
【０００３】
例えば特許文献１には、電気機器を収容するケース本体（金属製ケーシング）と該ケース本体の開口を覆うカバー体（金属製蓋）とを有し、これらの間に防水用パッキンを設けることで防水性を高めたケースが開示されている。
【先行技術文献】
【特許文献】
【０００４】
【特許文献１】特開２０１２−１６４８７８号公報
【発明の概要】
【発明が解決しようとする課題】
【０００５】
屋外に配置される電力制御装置のケースには、暴風雨等にも耐え得るように、より高い防水性が求められている。
【０００６】
上記のような課題に鑑みてなされた本開示の目的は、簡易な構成で防水性を高めた電気機器用ケース及び電力制御装置を提供することにある。
【課題を解決するための手段】
【０００７】
上述した課題を解決すべく、本開示の実施形態に係る電気機器用ケースは、電気機器を収容する電気機器用ケースであって、開口を有するケース本体と、前記開口を覆う矩形の平板状カバー部と、前記平板状カバー部の一辺に連なり前記ケース本体の外側面を覆う外側面カバー部とを備えたカバー体と、前記ケース本体の前記外側面カバー部に覆われる外側面に設けられ、前記一辺に沿って延びる第１リブと、を有することを特徴とする。
【０００８】
また、上述した課題を解決すべく、本開示の実施形態に係る電力制御装置は、本開示に係る何れかの電気機器用ケースと、前記電気機器用ケースに収容された電気機器とを備えることを特徴とする。
【発明の効果】
【０００９】
本開示の実施形態によれば、簡易な構成で防水性を高めた電気機器用ケース及び電力制御装置を提供することができる。
【図面の簡単な説明】
【００１０】
【図１】本開示の一実施の形態に係る電力制御装置の斜視図である。
【図２】図１に示すケース本体の斜視図である。
【図３】図１に示すカバー体の斜視図である。
【図４】カバー体及びケース本体の側面図である。
【図５】第２リブの詳細を示す拡大斜視図である。
【図６】図１に示す電力制御装置の要部の断面図である。
【図７】カバー体をケース本体に取り付ける手順を示す断面図である。
【発明を実施するための形態】
【００１１】
以下、図面を参照しつつ、本開示の一実施の形態を詳細に例示説明する。
【００１２】
図１に示すように、本実施の形態に係る電力制御装置１は、電気機器用ケース２と、電気機器用ケース２に収容された電気機器３とを備えている。
【００１３】
図１において模式的に示す電気機器３は、例えば住宅の屋根等に設置された太陽電池に接続されて、太陽電池が発電した直流電力を交流電力に変換して住宅の電気系統に出力する電力変換機能を備えたものである。すなわち、電力制御装置１は、家庭用のパワーコンディショナ（電力変換装置）として構成されている。
【００１４】
電力制御装置１は、電気機器用ケース２に、例えば上記した電力変換機能を備えた電気機器３に加えて、燃料電池、蓄電池、換気用ファンなどの、機能ないし構成の異なる複数種類の電気機器を収容した構成とすることもできる。上記した蓄電池としては、例えば、リチウムイオン電池またはニッケル水素電池を用いることができる。また、電気機器用ケース２には、電気機器３に加えて、例えば、断熱材、緩衝材等の部材を収容することもできる。さらに、電気機器用ケース２に収容される電気機器３は、上記した太陽電池用の電力変換機能を備えたものに限らず、例えば、燃料電池、変電装置、電力を商用電力系統へ供給する機能を備えたものなどの、他の機能を有する電気機器であってもよい。
【００１５】
電力制御装置１は屋外に設置することができる。本実施の形態では、電力制御装置１は、例えば住宅の外壁に、取付け金具、架台等を用いて設置することができる。
【００１６】
電力制御装置１は、屋外に限らず、屋内などの他の場所に設置されるものとすることもできる。
【００１７】
電気機器３を収容する電気機器用ケース２は、ケース本体１０とカバー体２０とを有している。
【００１８】
図２に示すように、ケース本体１０は、第１壁１１、第２壁１２、第３壁１３、第４壁１４及び第５壁１５を有する箱型となっている。本実施の形態では、ケース本体１０は、アルミニウム合金の鋳造品となっており、第１壁１１、第２壁１２、第３壁１３、第４壁１４及び第５壁１５は一体に連ねて設けられている。このような構成により、上記形状を有するケース本体１０を、容易かつ生産性よく製造することができる。
【００１９】
ケース本体１０は、上記したアルミニウム合金の鋳造品に限らず、鋳鉄等の他の金属の鋳造品としてもよい。また、ケース本体１０は、金属の鋳造品に限らず、例えば合成樹脂材料の射出成形品とするなど、他の材質で形成されたものとしてもよい。さらに、ケース本体１０は、互いに別体に形成された第１壁１１、第２壁１２、第３壁１３、第４壁１４及び第５壁１５を、溶接、接着、締結等の手段によって互いに一体的に連結した構成のものとしてもよい。
【００２０】
第１壁１１は、互いに平行な第１の辺１１ａ及び第２の辺１１ｂを有している。また、第１壁１１は、それぞれ第１の辺１１ａ及び第２の辺１１ｂに直交するとともに互いに平行な第３の辺１１ｃ及び第４の辺１１ｄを有している。このように、第１壁１１は、４つの辺１１ａ〜１１ｄを有する外形が矩形の板状となっている。本実施の形態では、第１壁１１は、ケース本体１０の背面を構成している。
【００２１】
第２壁１２は、細長い矩形の板状となっており、第１の辺１１ａにおいて第１壁１１に直角に連なっている。第３壁１３は、第２壁１２と同様の細長い矩形の板状となっており、第２壁１２に対向するとともに第２の辺１１ｂにおいて第１壁１１に直角に連なっている。本実施の形態では、第２壁１２及び第３壁１３は、互いに平行に対向し、それぞれケース本体１０の側方を向く外側面１２ａ、１３ａを構成している。
【００２２】
第４壁１４は、細長い板状となっており、第１壁１１の第３の辺１１ｃに直角に連なるとともに第２壁１２の及び第３壁１３の図２中上方側となる上辺に直角に連なっている。第４壁１４は、第１壁１１から離れる方向に突出する台形状の突出部分を有する形状となっており、当該突出部分の第１壁１１の面に平行な面が第４壁１４の第１壁１１とは反対側を向く端面１４ａとなっている。本実施の形態では、第４壁１４は、ケース本体１０の上方を向く天面を構成している。
【００２３】
第５壁１５は、第４壁１４と同様の台形状の突出部分を有する細長い板状となっており、第４壁１４に対向するとともに第１壁１１の第４の辺１１ｄに直角に連なるとともに第２壁１２及び第３壁１３の図２中下方側となる下辺に直角に連なっている。第５壁１５の突出部分の第１壁１１の面に平行な面が第５壁１５の第１壁１１とは反対側を向く端面１５ａとなっている。本実施の形態では、第５壁１５は、ケース本体１０の下方を向く底面を構成している。
【００２４】
ケース本体１０には、第１の隔壁１６及び第２の隔壁１７が設けられている。第１の隔壁１６及び第２の隔壁１７は、それぞれ、例えば、鉄鋼、アルミニウム合金、ステンレス鋼等の金属製の１枚の板材を板金加工して形成されている。第１の隔壁１６は、ケース本体１０の第２壁１２の第１壁１１とは反対側を向く端面に連なるとともに第２壁１２に対して傾斜した状態でケース本体１０にネジ部材４を用いて取り付けられている。同様に、第２の隔壁１７は、ケース本体１０の第３壁１３の第１壁１１とは反対側を向く端面に連なるとともに第３壁１３に対して傾斜した状態でケース本体１０にネジ部材４を用いて取り付けられている。
【００２５】
本実施の形態では、第１の隔壁１６及び第２の隔壁１７を、それぞれケース本体１０及びカバー体２０とは別体に形成されたものとしているが、第１の隔壁１６及び第２の隔壁１７をケース本体１０と一体に形成した構成としてもよい。あるいは、第１の隔壁１６及び第２の隔壁１７をカバー体２０と一体に形成した構成としてもよい。
【００２６】
ケース本体１０の内部は収容空間１０ａとなっている。電気機器３は収容空間１０ａに配置される。ケース本体１０の第１壁１１と対向する側は開口１０ｂとなっている。開口１０ｂは、第４壁１４の端面１４ａ、第５壁１５の端面１５ａ、第１の隔壁１６の側部及び第２の隔壁１７の側部によって区画された矩形形状となっている。カバー体２０をケース本体１０から取り外して開口１０ｂを外部に連通させることで、開口１０ｂを通して収容空間１０ａに電気機器３を配置することができる。
【００２７】
ケース本体１０には、上カバー１８及び下カバー１９が装着されている。
【００２８】
上カバー１８は合成樹脂製であり、ケース本体１０に装着されて第４壁１４を上方から覆っている。上カバー１８には、第４壁１４の上面に設けられたヒートシンクを通して放熱された熱により加熱された空気を外部に排出するための複数のスリット状の排出孔１８ａが設けられている。上カバー１８が装着されることで、電気機器３からの熱により加熱された第４壁１４ないしヒートシンクが直接手で触れられることを防止して安全性を高めることができる。
【００２９】
下カバー１９は合成樹脂製であり、ケース本体１０に装着されて第５壁１５の下側を覆っている。下カバー１９は、第２壁１２の外側面１２ａ及び第３壁１３の外側面１３ａを伝って排出された水を受けるとともに、当該水を所定位置に設けた排出孔から外部に排出することができる。また、下カバー１９が装着されることで、電気機器３からの熱により加熱された第５壁１５が直接手で触れられることを防止して安全性を高めることができる。
【００３０】
図３に示すように、カバー体２０は、平板状カバー部２１と、平板状カバー部２１の両側に設けられる第１の外側面カバー部２２及び第２の外側面カバー部２３とを有する、断面Ｕ字形状となっている。
【００３１】
平板状カバー部２１は、ケース本体１０の第１壁１１の第１の辺１１ａに平行な第１の辺２１ａ及び第２の辺２１ｂを有している。また、平板状カバー部２１は、第１壁１１の第３の辺１１ｃに平行な第３の辺２１ｃ及び第４の辺２１ｄを有している。このように、平板状カバー部２１は、４つの辺２１ａ〜２１ｄを有する外形形状が矩形の板状となっている。
【００３２】
第１の外側面カバー部２２は、第１の湾曲カバー部２４を介して平板状カバー部２１の一辺である第１の辺２１ａに連なっている。第１の湾曲カバー部２４は、第１の辺２１ａに平行な軸を中心軸とし、中心角が９０度の円弧状となるように、第１の辺２１ａから第１壁１１の側に向けて曲がっている。第１の外側面カバー部２２は、第２壁１２に平行な矩形の板状となっている。
【００３３】
同様に、第２の外側面カバー部２３は、第２の湾曲カバー部２５を介して平板状カバー部２１の一辺である第２の辺２１ｂに連なっている。第２の湾曲カバー部２５は、第２の辺２１ｂに平行な軸を中心軸とし、中心角が９０度の円弧状となるように、第２の辺２１ｂから第１壁１１の側に向けて曲がっている。第２の外側面カバー部２３は、第３壁１３に平行な矩形の板状となっている。
【００３４】
第１の外側面カバー部２２及び第２の外側面カバー部２３には、それぞれ２つの取付け孔２６（図３には、第１の外側面カバー部２２の取付け孔２６は１つのみが示されている）が設けられている。一方、図２に示すように、ケース本体１０の第２壁１２及び第３壁１３には、それぞれ第１壁１１の側方であって、第４壁１４の側と第５壁１５の側とに分けて２つのネジ孔１０ｃが設けられている。図１に示すように、カバー体２０は、カバー体２０の取付け孔２６に挿通したネジ部材５をケース本体１０の対応するネジ孔１０ｃにネジ結合させることによりケース本体１０に取り付けられている。
【００３５】
カバー体２０がケース本体１０に取り付けられた状態において、平板状カバー部２１はケース本体１０の前面の開口１０ｂを覆う。また、カバー体２０がケース本体１０に取り付けられた状態において、第１の外側面カバー部２２は、第２壁１２の外側面１２ａに所定の隙間を介して対向して当該外側面１２ａを覆う。さらに、カバー体２０がケース本体１０に取り付けられた状態において、第２の外側面カバー部２３は、第３壁１３の外側面１３ａに所定の隙間を介して対向して当該外側面１３ａを覆う。
【００３６】
カバー体２０としては、例えば、鉄鋼、アルミニウム合金、ステンレス鋼等の金属製の１枚の板材を板金加工して形成されたものを採用することができる。この構成により、単純な曲げ加工により形成できることから、上記形状を有するカバー体２０を容易かつ低コストで形成することができる。カバー体２０の板厚は任意に設定することができ、例えば、０．３ｍｍ〜３．５ｍｍとするのがよい。
【００３７】
カバー体２０は、１枚の板材を板金加工して形成したものに限らず、互いに別体に形成された平板状カバー部２１、第１の外側面カバー部２２、第２の外側面カバー部２３、第１の湾曲カバー部２４及び第２の湾曲カバー部２５を、溶接、接着、締結等の手段によって互いに一体的に連結した構成とすることもできる。また、カバー体２０は、金属製に限らず、例えば合成樹脂材料の射出成形品とするなど、他の材質で形成されたものとすることもできる。
【００３８】
本実施の形態において、カバー体２０は、第１の外側面カバー部２２が第１の湾曲カバー部２４を介して平板状カバー部２１に連なり、第２の外側面カバー部２３が第２の湾曲カバー部２５を介して平板状カバー部２１に連なる構成とされているが、第１の外側面カバー部２２と第２の外側面カバー部２３とが、それぞれ平板状カバー部２１に直接連なる構成とすることもできる。
【００３９】
図２に示すように、ケース本体１０には、開口１０ｂを取り囲むように、防水機能を有するシール部材３０が装着されている。カバー体２０がケース本体１０に取り付けられた状態において、シール部材３０は、ケース本体１０とカバー体２０の平板状カバー部２１との間に挟み込まれて、ケース本体１０と平板状カバー部２１との間を雨水等の水が浸入しない程度に封止する。
【００４０】
本実施の形態では、シール部材３０は、第４壁１４の端面１４ａに装着された第１シール片３０ａ、第５壁１５の端面１５ａに装着された第２シール片３０ｂ、第１の隔壁１６の側面に装着された第３シール片３０ｃ及び第２の隔壁１７の側面に装着された第４シール片３０ｄに分割され、これらが互いに連結された構成となっている。第１シール片３０ａ、第２シール片３０ｂ、第３シール片３０ｃ及び第４シール片３０ｄは、それぞれ、例えば合成ゴム、エラストマー等の弾性体、エチレンプロピレンゴムの発泡体であるゴムスポンジなどにより形成されたものとすることができる。
【００４１】
第１の隔壁１６と第２壁１２との間、及び、第２の隔壁１７と第３壁１３との間にも、防水機能を有するシール部材を設けた構成とすることができる。
【００４２】
第２壁１２の外側面１２ａと第１の外側面カバー部２２との間の隙間を遮蔽するために、外側面１２ａには３本の第１リブ４０（図７参照）が設けられている。同様に、図２に示すように、第３壁１３の外側面１３ａと第２の外側面カバー部２３との間の隙間を遮蔽するために、外側面１３ａには３本の第１リブ４０が設けられている。
【００４３】
また、外側面１２ａ、１３ａには、それぞれ上記した３本の第１リブ４０に加えて５本の第２リブ５０が設けられている。
【００４４】
第２壁１２の外側面１２ａと第３壁１３の外側面１３ａには、互いに対称である以外、基本的に同一の態様で第１リブ４０及び第２リブ５０が設けられているので、以下では、主に第３壁１３の外側面１３ａに設けられる第１リブ４０及び第２リブ５０について説明する。
【００４５】
図４に示すように、第３壁１３の外側面１３ａに設けられる３本の第１リブ４０は、それぞれ外側面１３ａと一体に形成されている。それぞれの第１リブ４０は、外側面１３ａからケース本体１０の外側に向けて壁状に突出し、その突出方向の先端は第２の外側面カバー部２３の内面に所定の間隔を空けて対向している。また、それぞれの第１リブ４０は、外側面１３ａの第４壁１４の側となる上端側から第５壁１５の側となる下端側との間において、平板状カバー部２１の一辺である第２の辺２１ｂに沿って延びている。さらに、それぞれの第１リブ４０は、第２の辺２１ｂに直交し且つ第３壁１３の外側面１３ａに平行な方向に向けて互いに間隔を空けて配置されている。３本の第１リブ４０は、互いに平行である。なお、「第１リブ４０が平板状カバー部２１の一辺である第２の辺２１ｂに沿って延びる」とは、第１リブ４０が第２の辺２１ｂに対して厳密に一定の距離を保って延びる構成（第１リブ４０が第２の辺２１ｂと平行な構成）に限られるものではなく、第１リブ４０が第２の辺２１ｂと平行でない状態を含むものとする。
【００４６】
図６に示すように、外側面１３ａは、３本の第１リブ４０のうち、真ん中に配置されている第１リブ４０を挟んで段差状となっているが、当該真ん中の第１リブ４０は、当該第１リブ４０を挟んだ何れの側の外側面１３ａに対してもケース本体１０の外側に向けて突出している。また、３本の第１リブ４０のうち、最も平板状カバー部２１の側に配置されている第１リブ４０と真ん中の第１リブ４０は、その突出方向の先端と第２の外側面カバー部２３の内面との間隔が互いに略同一である。一方、最も平板状カバー部２１から離れた側に配置されている第１リブ４０の突出方向の先端と第２の外側面カバー部２３の内面との間隔は、他の２つの第１リブ４０の突出方向の先端と第２の外側面カバー部２３の内面との間隔よりも小さくなっている。
【００４７】
上記の通り、本実施の形態の電力制御装置１は、例えば住宅の外壁に、取付け金具等を用いて取り付けられて屋外に設置することができる。ここで、屋外に設置される電力制御装置には、風雨に曝される環境に設置されるために高い防水性が求められ、暴風雨に曝される場合を考慮すると、日本工業規格である「ＪＩＳ  Ｃ０９２０」に定められた防水規格において「ＩＰ４５」に相当する保護等級を得るほうがよい。この場合、噴流に対する保護に関し、「あらゆる方向からのノズルによる噴流水によっても有害な影響を及ぼしてはならない。」という防水性能を満足する必要がある。
【００４８】
しかし、電気機器を収容するケース本体とケース本体の開口を閉塞するカバー体との間を防水用パッキンで封止したのみの従来の構成では、ケース本体とカバー体との間に向けて高い流速で噴流水が浸入して防水用パッキンに大きな水圧が加わると、防水用パッキンによる封止が破れ、ケース本体の内部に水が浸入してしまう虞がある。
【００４９】
本実施の形態の電力制御装置１のように、第１の外側面カバー部２２と第２壁１２の外側面１２ａとの間に隙間が設けられた構成において、ケース本体１０の第１壁１１の側となる背面側から第１の外側面カバー部２２と第２壁１２の外側面１２ａとの間の隙間に噴流水が浸入する場合があるが、当該噴流水に対しても高い防水性能が求められる。同様に、本実施の形態の電力制御装置１では、第２の外側面カバー部２３と第３壁１３の外側面１３ａとの間にも隙間が設けられているので、ケース本体１０の第１壁１１の側となる背面側から第２の外側面カバー部２３と第３壁１３の外側面１３ａとの間の隙間にも噴流水が浸入する場合があり、当該噴流水に対しても高い防水性能が求められる。
【００５０】
これに対し、本実施の形態の電力制御装置１では、第１の外側面カバー部２２により覆われる第２壁１２の外側面１２ａに第１リブ４０を設けているので、第１の外側面カバー部２２と第２壁１２の外側面１２ａとの間の隙間に噴流水が浸入しても、当該噴流水を第１リブ４０に当ててその勢いを緩和させることができる。これにより、第３シール片３０ｃに到達する噴流水の水量を低減させるとともに、第３シール片３０ｃに到達したときの噴流水の水圧を低減させて、第３シール片３０ｃによる平板状カバー部２１とケース本体１０との間の防水性を高めることができる。同様に、本実施の形態の電力制御装置１では、第２の外側面カバー部２３により覆われる第３壁１３の外側面１３ａにも第１リブ４０を設けているので、第２の外側面カバー部２３と第３壁１３の外側面１３ａとの間の隙間に噴流水が浸入しても、当該噴流水を第１リブ４０に当ててその勢いを緩和させることができる。これにより、第４シール片３０ｄに到達する噴流水の水量を低減させるとともに、第４シール片３０ｄに到達したときの噴流水の水圧を低減させて、第４シール片３０ｄによる平板状カバー部２１とケース本体１０との間の防水性を高めることができる。
【００５１】
第１リブ４０は、平板状カバー部２１の一辺である第１の辺２１ａ及び第２の辺２１ｂに沿って延びていればよいが、本実施の形態のように、平板状カバー部２１の一辺である第１の辺２１ａ及び第２の辺２１ｂと平行に延びる構成とするとよい。当該構成により、第１リブ４０を、ケース本体１０の背面側から開口１０ｂの側に向けて浸入する噴流水に対して直交する方向に延びる構成として、第１の外側面カバー部２２と第２壁１２の外側面１２ａとの間の隙間、及び、第２の外側面カバー部２３と第３壁１３の外側面１３ａとの間の隙間に浸入した噴流水の流れを、第１リブ４０によって効果的に遮ることができる。これにより、第３シール片３０ｃ及び第４シール片３０ｄによる平板状カバー部２１とケース本体１０との間の防水性を高めることができる。
【００５２】
また、本実施の形態の電力制御装置１のように、外側面１２ａ、１３ａに、それぞれ複数の第１リブ４０を互いに間隔を空けて並べて設けることにより、第１の外側面カバー部２２と第２壁１２の外側面１２ａとの間の隙間、及び、第２の外側面カバー部２３と第３壁１３の外側面１３ａとの間の隙間に浸入した噴流水の勢いを、複数の第１リブ４０によって段階的に緩和することができる。これにより、第３シール片３０ｃ及び第４シール片３０ｄに到達する噴流水の水量をさらに低減させるとともに、第３シール片３０ｃ及び第４シール片３０ｄに到達する噴流水の水圧をさらに低減させて、第３シール片３０ｃ及び第４シール片３０ｄによる平板状カバー部２１とケース本体１０との間の防水性を高めることができる。
【００５３】
図４に示すように、第３壁１３の外側面１３ａに設けられる５本の第２リブ５０は、それぞれ外側面１３ａに一体に形成され、外側面１３ａからケース本体１０の外側に向けて突出している。第２リブ５０の外側面１３ａからの突出高さは、第１リブ４０の外側面１３ａからの突出高さ以上である。本実施の形態では、第２リブ５０の外側面１３ａからの突出高さは、第１リブ４０の外側面１３ａからの突出高さよりも大きくなっている。
【００５４】
それぞれの第２リブ５０は、外側面１３ａの開口１０ｂの側となる前面側から第１壁１１の側となる背面側との間において、外側面１３ａに向かって透視し、平板状カバー部２１の一辺である第２の辺２１ｂに直交し且つ第３壁１３の外側面１３ａに平行な方向に延びている。すなわち、それぞれの第２リブ５０は、それぞれの第１リブ４０と直交する方向に延びている。また、それぞれの第２リブ５０は、第２の辺２１ｂに直交し且つ第３壁１３の外側面１３ａに平行な方向に直交する方向、すなわち第１リブ４０が延びる方向に向けて互いに間隔を空けて配置されている。
【００５５】
図５に示すように、それぞれの第２リブ５０は、外側面１３ａから所定の高さで突出する一対の第１突出部５０ａと、第１突出部５０ａよりも外側面１３ａからの突出高さが低い第２突出部５０ｂとを有している。第１突出部５０ａは、第２リブ５０の開口１０ｂの側となる前面側と第１壁１１の側となる背面側とに設けられ、これら一対の第１突出部５０ａの間に第２突出部５０ｂが設けられている。第１突出部５０ａと第２突出部５０ｂとの間には、外側面１３ａからの突出高さが徐々に変化する傾斜部５０ｃが設けられている。
【００５６】
図４に示すように、５つの第２リブ５０のうち、最も第４壁１４の近くに配置される第２リブ５０の一方の第１突出部５０ａの突出方向の先端面と、最も第５壁１５の近くに配置される第２リブ５０の第１突出部５０ａの突出方向の先端面とには、それぞれ上記したネジ孔１０ｃが開口している。これらの第１突出部５０ａの外側面１３ａからの突出高さは、他の第１突出部５０ａの外側面１３ａからの突出高さよりも高くなっている。
【００５７】
３本の第１リブ４０のうち、開口１０ｂの側から数えて２本の第１リブ４０は、第２リブ５０の第２突出部５０ｂと直交している。これら２本の第１リブ４０の外側面１３ａからの突出高さは、第２突出部５０ｂの外側面１３ａからの突出高さよりも低くなっている。一方、３本の第１リブ４０のうち、最も開口１０ｂから離れて配置される第１リブ４０は、第２リブ５０の第１突出部５０ａに直交している。当該第１リブ４０の外側面１３ａからの突出高さは、第１突出部５０ａの外側面１３ａからの突出高さよりも低くなっている。
【００５８】
図５において、符号６０で示される部材は、第１壁１１のケース本体１０の外側を向く背面に一体に設けられた複数のヒートシンクである。第２壁１２及び第３壁１３は、それぞれ第１壁１１に対して開口１０ｂとは反対側に向けて突出する張出し部分を有し、ヒートシンク６０は第２壁１２及び第３壁１３の当該張出し部分と平行に設けられている。
【００５９】
図６に示すように、カバー体２０がケース本体１０に取り付けられた状態において、第２の外側面カバー部２３は、その内面において、それぞれの第２リブ５０の開口１０ｂの側の一方の第１突出部５０ａの突出方向の先端面に第２の隔壁１７の一部を介して当接している。また、カバー体２０がケース本体１０に取り付けられた状態において、第２の外側面カバー部２３は、その内面において、最も第４壁１４の近くに配置される第２リブ５０のネジ孔１０ｃが設けられた第１突出部５０ａの突出方向の先端面と、最も第５壁１５の近くに配置される第２リブ５０のネジ孔１０ｃが設けられた第１突出部５０ａの突出方向の先端面とに当接している。このように、カバー体２０がケース本体１０に取り付けられた状態において、外側面１３ａから突出する第２リブ５０の第１突出部５０ａにより第２の外側面カバー部２３の内面を支持することで、第２の外側面カバー部２３と外側面１３ａとの間には隙間が設けられている。
【００６０】
第２壁１２及び第３壁１３に、それぞれ第１リブ４０に加えて第２リブ５０を設けたことにより、第２壁１２及び第３壁１３を、剛性を高めつつ薄型化及び軽量化することができる。また、収容空間１０ａに収容した電気機器３が動作時に生じる熱を第２壁１２及び第３壁１３において効果的に放熱させることができる。
【００６１】
第３壁１３の外側面１３ａを覆う第２の外側面カバー部２３を、外側面１３ａに設けられた複数の第２リブ５０の第１突出部５０ａにより支持させて、第２の外側面カバー部２３と外側面１３ａとの間に隙間を設けるようにしたことにより、収容空間１０ａに収容された電気機器３が動作時に生じる熱によって加熱された第３壁１３から第２の外側面カバー部２３に熱伝導によって伝達される熱量を小さくすることができる。これにより、カバー体２０の温度が過度に上昇することを抑制して、住人等の使用者のカバー体２０への接触に対する安全性を高めることができる。
【００６２】
さらに、第２の外側面カバー部２３は、複数の第２リブ５０の第１突出部５０ａに当接するとともに複数の第１リブ４０に近接して配置されているので、住人等の使用者によって第２の外側面カバー部２３が押圧されたときに第２の外側面カバー部２３を複数の第２リブ５０と複数の第１リブ４０とにより支持することができる。これにより、第２の外側面カバー部２３が過大に変形することを抑制して、カバー体２０の構造的な強度を高めることができる。
【００６３】
図７に示すように、本実施の形態の電力制御装置１では、カバー体２０は平板状カバー部２１の両側に第１の外側面カバー部２２及び第２の外側面カバー部２３を備えた断面Ｕ字形状に形成されており、開口１０ｂの側から第１壁１１の側に向けて第１壁１１に垂直な方向に沿って移動してケース本体１０に組み付けられる。このとき、カバー体２０の第１の外側面カバー部２２はケース本体１０の第２壁１２の外側面１２ａに沿って移動し、カバー体２０の第２の外側面カバー部２３はケース本体１０の第３壁１３の外側面１３ａに沿って移動する。そのため、それぞれの外側面１２ａ、１３ａに第１リブ４０が設けられた構成では、カバー体２０をケース本体１０に組み付ける際に、第１の外側面カバー部２２及び第２の外側面カバー部２３の組付け方向に向けた前端が第１リブ４０に引っ掛かることなく、容易に組み付けることが可能な構成であることが求められる。
【００６４】
これに対し、本実施の形態の電力制御装置１では、外側面１２ａ、１３ａに、それぞれ外側面１２ａ、１３ａからの突出高さが第１リブ４０の外側面１２ａ、１３ａからの突出高さ以上となる第２リブ５０を設けて、カバー体２０をケース本体１０に組み付ける際に、第１の外側面カバー部２２及び第２の外側面カバー部２３が、第１リブ４０の触れることなく第２リブ５０により案内されるようにしている。これにより、カバー体２０をケース本体１０に組み付ける際に、第１の外側面カバー部２２及び第２の外側面カバー部２３が第１リブ４０に引っ掛かることを防止して、カバー体２０のケース本体１０への組み付け性を高めることができる。
【００６５】
第２リブ５０の外側面１２ａ、１３ａからの突出高さは、第１リブ４０の外側面１２ａ、１３ａからの突出高さ以上であればよいが、第１リブ４０の外側面１２ａ、１３ａからの突出高さよりも大きくすることで、第１の外側面カバー部２２及び第２の外側面カバー部２３が第１リブ４０に引っ掛かることをより確実に防止することができる。
【００６６】
上記のように、本実施の形態の電力制御装置１では、第２壁１２の外側面１２ａは第１の外側面カバー部２２により覆われている。そのため、第２壁１２の外側面１２ａと第１の外側面カバー部２２との間においてケース本体１０からの排熱によって暖められた空気は、第２壁１２の外側面１２ａと第１の外側面カバー部２２との間を上方に向けて（第５壁１５の側から第４壁１４の側へ向けて）移動しようとする。しかし、仮に外側面１２ａに、その全長にわたって第１の外側面カバー部２２に当接する第２リブ５０が設けられた構成を考えると、第２リブ５０により空気の上方に向けた流れが阻害され、暖められた空気が第２壁１２の外側面１２ａと第１の外側面カバー部２２との間に滞留し、ケース本体１０の放熱性が低下するという問題が生じることになる。同様に、仮に外側面１３ａに、その全長にわたって第２の外側面カバー部２３に当接する第２リブ５０が設けられた構成を考える場合も、第３壁１３の外側面１３ａと第２の外側面カバー部２３との間における空気の上方に向けた流れが第２リブ５０により阻害され、暖められた空気が第３壁１３の外側面１３ａと第２の外側面カバー部２３との間に滞留し、ケース本体１０の放熱性が低下するという問題が生じることになる。
【００６７】
これに対し、本実施の形態の電力制御装置１では、第２リブ５０を、外側面１２ａ、１３ａから所定の高さで突出する第１突出部５０ａと、第１突出部５０ａよりも外側面１２ａ、１３ａからの突出高さが低い第２突出部５０ｂとを有する構成とし、図６に示すように、第２突出部５０ｂの部分を上昇する空気の通り道としたので、外側面１２ａと第１の外側面カバー部２２との間で暖められた空気、及び、外側面１３ａと第２の外側面カバー部２３との間で暖められた空気は、それぞれ第２突出部５０ｂの部分において第２リブ５０を通過することができる。これにより、暖められた空気が、第２壁１２の外側面１２ａと第１の外側面カバー部２２との間、及び、第３壁１３の外側面１３ａと第２の外側面カバー部２３との間に滞留することなく外部に排出されるようにして、ケース本体１０の放熱性を高めることができる。
【００６８】
図４に示すように、第２壁１２及び第３壁１３には、それぞれ矩形の貫通孔６が設けられている。上カバー１８の排出孔１８ａから上カバー１８の内側に浸入して第４壁１４の上面に溜まった雨水等の水は、貫通孔６を通して第２壁１２の外側面１２ａまたは第３壁１３の外側面１３ａに向けて排出される。貫通孔６を通して第２壁１２の外側面１２ａまたは第３壁１３の外側面１３ａに排出された水は、外側面１２ａ、１３ａに沿って下方に向けて流れて下カバー１９に取り込まれ、下カバー１９に設けられた排水孔から外部に排水される。
【００６９】
ここで、上記の通り、本実施の形態の電力制御装置１では、第２リブ５０を、外側面１２ａ、１３ａから所定の高さで突出する第１突出部５０ａと、第１突出部５０ａよりも外側面１２ａ、１３ａからの突出高さが低い第２突出部５０ｂとを有する構成としているので、第２突出部５０ｂの部分が水の通り道ともなる。これにより、貫通孔６から排出された水を、第２壁１２の外側面１２ａと第１の外側面カバー部２２との間、及び、第３壁１３の外側面１３ａと第２の外側面カバー部２３との間に滞留させることなく、外部に排出させることができる。したがって、水が滞留することによるケース本体１０及びカバー体２０の塗膜の劣化、金属の腐食の進行等を抑制することができる。
【００７０】
本実施の形態では、第２リブ５０を、平板状カバー部２１の一辺である第１の辺２１ａ及び第２の辺２１ｂに直交し且つ外側面１２ａ、１３ａに平行な方向での中間部分の突出高さを両端部分の突出高さよりも低くすることで、一対の第１突出部５０ａの間に第２突出部５０ｂを備えた構成としたが、これに限らず、当該方向での端部分の突出高さを他の部分の突出高さよりも低くすることで第１突出部５０ａと第２突出部５０ｂとを備えた構成とすることもできる。
【００７１】
本開示は前記実施の形態に限定されるものではなく、その要旨を逸脱しない範囲で種々変更可能である。
【００７２】
例えば、前記実施の形態では、外側面１２ａ、１３ａにそれぞれ３本の第１リブ４０を設けるようにしているが、少なくとも１本の第１リブ４０が設けられていればよく、その本数は任意に変更可能である。
【００７３】
また、前記実施の形態では、第１リブ４０は、平板状カバー部２１の一辺である第１の辺２１ａ及び第２の辺２１ｂと平行に延びる構成とされているが、これに限らず、平板状カバー部２１の一辺である第１の辺２１ａ及び第２の辺２１ｂと平行ではない方向に延びる構成としてもよい。
【００７４】
前記実施の形態では、外側面１２ａ、１３ａにそれぞれ第２リブ５０を設けるようにしているが、第２リブ５０が設けられない構成とすることもできる。外側面１２ａ、１３ａにそれぞれ第２リブ５０を設ける構成とする場合であっても、少なくとも１本の第２リブ５０が設けられていればよく、その本数は任意に変更可能である。
【００７５】
第２リブ５０は、第１リブ４０に直交して延びる構成に限らず、第１リブ４０に９０度以外の角度で交差する方向に延びる構成であってもよい。第２リブ５０の外側面１３ａからの突出高さは、第１リブ４０の外側面１３ａからの突出高さと同一であってもよい。
【００７６】
カバー体２０は、第１の外側面カバー部２２及び第２の外側面カバー部２３を備えた構成とされているが、何れか一方の外側面カバー部のみを備えた構成としてもよい。この場合、当該外側面カバー部に対応した一方の外側面にのみ第１リブ４０を設けた構成としてもよい。
【００７７】
前記実施の形態では、電力制御装置１を、第５壁１５に対して第４壁１４が上方に位置するとともに第１壁１１が鉛直方向に平行となる姿勢で設置されるものとしているが、これに限らず、電力制御装置１を設置する際に姿勢は、種々変更可能である。
【符号の説明】
【００７８】
１    電力制御装置
２    電気機器用ケース
３    電気機器
４    ネジ部材
５    ネジ部材
６    貫通孔
１０    ケース本体
１０ａ  収容空間
１０ｂ  開口
１０ｃ  ネジ孔
１１    第１壁
１１ａ  第１の辺
１１ｂ  第２の辺
１１ｃ  第３の辺
１１ｄ  第４の辺
１２    第２壁
１２ａ  外側面
１３    第３壁
１３ａ  外側面
１４    第４壁
１４ａ  端面
１５    第５壁
１５ａ  端面
１６    第１の隔壁
１７    第２の隔壁
１８    上カバー
１８ａ  排出孔
１９    下カバー
２０    カバー体
２１    平板状カバー部
２１ａ  第１の辺
２１ｂ  第２の辺
２１ｃ  第３の辺
２１ｄ  第４の辺
２２    第１の外側面カバー部
２３    第２の外側面カバー部
２４    第１の湾曲カバー部
２５    第２の湾曲カバー部
２６    取付け孔
３０    シール部材
３０ａ  第１シール片
３０ｂ  第２シール片
３０ｃ  第３シール片
３０ｄ  第４シール片
４０    第１リブ
５０    第２リブ
５０ａ  第１突出部
５０ｂ  第２突出部
５０ｃ  傾斜部
６０    ヒートシンク
【図１】
2020088252.tif 000003
【図２】
2020088252.tif 000004
【図３】
2020088252.tif 000005
【図４】
2020088252.tif 000006
【図５】
2020088252.tif 000007
【図６】
2020088252.tif 000008
【図７】
2020088252.tif 000009